(57)【要約】      （修正有）【課題】背が低いと背を高く見せたいという願望があり、厚底靴が市販されている。また、市販されている底敷を靴の形状に合わせて裁断し、靴に挿入して背の高さを高く見せるように活用されていた。しかし、これらは靴を脱いだ時に背を高く見せることができない。よって、靴を脱いだ時であっても背を高く見せることができる靴下又はタイツを提供する。【解決手段】靴下又タイツ１の少なくとも踵部分２に身長高さ可変手段３を収納可能な収納部４を設けた。【選択図】図１
2015151643.tif 000002
【特許請求の範囲】
【請求項１】
靴下又タイツの少なくとも踵部分に身長高さ可変手段を収納可能な収納部を設けたことを特徴とする靴下又タイツ。
【請求項２】
前記収納部は、踵と土踏まずと対応する領域に跨って形成されており、前記身長高さ可変手段は、踵と土踏まずの形状に合わせて湾曲している請求項１に記載の靴下又タイツ。
【請求項３】
前記身長高さ可変手段の少なくとも土踏まず側は徐々に薄くなっている請求項１又は請求項２のいずれか１項に記載の靴下又タイツ。
【請求項４】
前記収納部の身長高さ可変手段を挿入する開口部は土踏まず側に形成されている請求項１乃至請求項３のいずれか１項に記載の靴下又タイツ。
【発明の詳細な説明】
【技術分野】
【０００１】
本発明は、靴下又はタイツに関するものである。
【背景技術】
【０００２】
従来、背が低いと背を高く見せたいという願望があり、例えば、特開２００４−３５７９０５号公報に開示されているような圧底靴が市販されている。また、市販されている底敷きを靴の形状に合わせて裁断し、靴に挿入して背の高さを高く見せるように活用されていた。
【０００３】
しかしながら、このような圧底靴や底敷きの場合、靴を脱いだ時に背を高く見せたいと言う目的が成立しなくなるという問題点があった。
【先行技術文献】
【特許文献】
【０００４】
【特許文献１】特開２００４−３５７９０５号公報
【発明の概要】
【発明が解決しようとする課題】
【０００５】
本発明は、上記問題点に鑑みてなされたものであり、靴を脱いだ時であっても背を高く見せることができる靴下又はタイツを提供することを目的とするものである。
【課題を解決するための手段】
【０００６】
本発明の靴下又タイツは、靴下又タイツの少なくとも踵部分に身長高さ可変手段を収納可能な収納部を設けたことを特徴とする。
【発明の効果】
【０００７】
本発明の靴下又タイツは、靴下又タイツの少なくとも踵部分に身長高さ可変手段を収納可能な収納部を設けたことを特徴とするものであるから、収納部に身長高さ可変手段を収納することにより、靴を脱いだ時であっても背を高く見せることができるという効果があるとともに、踵でズボンの裾を踏むことも防止でき、ズボンの裾を損傷することも無いという効果がある。又、靴下を脱ぐことなく、身長高さ可変手段を収納部から抜くだけで踵の低い姿勢の楽な状態にでき、自動車の運転のし易い状態にすることもできるという効果がある。
【図面の簡単な説明】
【０００８】
【図１】図１は、本発明の実施例における身長高さ可変手段を収納部から抜いた状態の斜視図。
【図２】図２は、同上の身長高さ可変手段を収納部に収納した状態の足の側方から見た断面図。
【図３】図３は、同上の身長高さ可変手段を収納部に収納した状態の足の後方から見た断面図。
【図４】図４は、同上の身長高さ可変手段の外観斜視図。
【図５】図５は、同上の身長高さ可変手段の足の後方から見た正面図。
【発明を実施するための形態】
【０００９】
以下、本発明の靴下又はタイツの実施例について、図１乃至図３を参照して説明する。靴下又タイツ１の少なくとも踵部分２に少なくとも２枚重ねからなる身長高さ可変手段３を収納可能な収納部４が設けられている。
【００１０】
収納部４は、人体の踵Ｋと土踏まずＴと対応する領域に跨って形成されており、身長高さ可変手段３には、踵Ｋと土踏まずＴの形状に合わせて湾曲した湾曲部５が形成されている。
【００１１】
身長高さ可変手段３の少なくとも前側は徐々に薄くなっており、薄厚部６が形成されている。
【００１２】
収納部４は、一般的な靴下又タイツ１の底の中央・土踏まずからかかとに当る部分を少なくとも２枚重ねに編む又は縫製して形成されており、土踏まず側に形成された開口部７から独自の身長高さ可変手段３を挿入出来るようにしている。
【００１３】
又靴の底に当る少なくとも２枚重ねの収納部３は、身長高さ可変手段３が外れないように開口部７の端布を数センチ内側に折り返した折返し部８が編む又は縫製により形成されている。靴下又タイツ１が滑りやすい素材の場合は、収納部４にウレタンを塗布することで身長高さ可変手段３がズレたり外れないようになっている。折返し部８をメリヤス編みにしたものは、開口部７が狭くなり、身長高さ可変手段３が外れ難くなるので望ましい。開口部７を踵側に設けたものは、身長高さ可変手段３が収納部４から抜ける可能性があるが、開口部７を土踏まず側に形成することで収納部４から身長高さ可変手段３が抜けないようになっている。また、開口部７の開口幅を身長高さ可変手段３の幅よりも狭くすることで、更に、収納部４から身長高さ可変手段３が抜けないようにすることは可能であり、収納部４内の身長高さ可変手段３が移動することを防止することも可能となる。
【００１４】
靴下又タイツ１の耐久性に関しては、従来の靴下と同じくかかとや先端に厚みを付けたものにし、収納部４からかかとにかけての収納部４の表面部４ａの素材に関しては伸縮性の強い素材又同素材で編み方によってしっかり身長高さ可変手段３を装着出来るものとしている。
【００１５】
身長高さ可変手段３の形状は様々であるが、ウレタン・フェルト等を少なくとも１枚以上重ねたもので、身長高さ可変手段３を重ねて使用することにより希望の高さにより調節出来るようになっている。身長高さ可変手段３の足側の表面部３ａについては、足のかかとと対面するかかと部９を高く足の土踏まずと対面する土踏まず部１０にかけてなだらかな傾斜する傾斜部１１を形成し、土踏まず部１０を山形の厚みを付けた山形部１１を形成することにより前滑りが生じないように工夫されている。
【００１６】
身長高さ可変手段３の足側の表面部３ａに底敷き３と同じ形状に裁断したフェルト１２を重ねていくことにより、厚みを調整出来るようになっている。フェルト１２等には発泡ウレタンを塗り身長高さ可変手段３に重ねた時にズレたり外れたりしないように工夫されている。身長高さ可変手段３には発泡ウレタンを塗ることで、収納部４のウレタンとで身長高さ可変手段３が更にズレたり外れないようになっている。
【００１７】
又、身長高さ可変手段３の靴側となる裏面部３ｂについては、身長高さ可変手段３のかかとの後端部分１３に丸みを付け、外見的にも足のかかとらしく見せ  身長高さ可変手段３の違和感を無くすことによって身長高さ可変手段３を装着していることが、外見的にわからないような形状になっている。身長高さ可変手段３の表面には、小さな凹凸や発泡ウレタンを塗る等して靴下を履いて歩いた時の身長高さ可変手段３のズレ等を防ぐのが好ましい。
【００１８】
使用する靴の形状としては、従来のスニーカー（運動靴）に多い紐を編み上げる事によって足幅・甲の高さを調節できる物が最適で、本発明の靴下又はタイツ１の身長高さ可変手段３の厚みにも対応出来、少なくとも甲高さを調節出来る物が適しており、ハイカットと言われる形状のブーツ型のスニーカー（運動靴）物も安定性があり、適している。又靴内部に底敷きを装着出来るタイプの靴・ブーツ等には、底敷きでは無く、本発明の靴下又はタイツ１を履いた状態で使用出来るため適している。
【００１９】
従来より、健康サンダルとしてサンダルの足裏と接する面に複数の突起を設けたものが市販されているが、身長高さ可変手段３の表面の足裏と接する面に複数の突起を設けても構わないものである。
【符号の説明】
【００２０】
１    靴下又タイツ
２    靴下又タイツの踵部分  
３    身長高さ可変手段
４    収納部
【図１】
2015151643.tif 000003
【図２】
2015151643.tif 000004
【図３】
2015151643.tif 000005
【図４】
2015151643.tif 000006
【図５】
2015151643.tif 000007